(57)【要約】【課題】羽根の耐久性を向上すること。【解決手段】冷却塔１の管束２に送風を行うファン３において、羽根３２の外周面をプラスチックで形成するとともに、羽根３２の外周面である回転の前側縁に保護部材３３を設ける。【選択図】図２
2014181573.tif 000002
【特許請求の範囲】
【請求項１】
冷却塔の管束に送風を行う冷却塔用ファンにおいて、
羽根の外周面をプラスチックで形成するとともに、前記羽根の外周面である回転の前側縁に保護部材を設けることを特徴とする冷却塔用ファン。
【請求項２】
前記羽根の外周面に前記プラスチックと前記保護部材との温度変化を抑制する皮膜を設けることを特徴とする請求項１に記載の冷却塔用ファン。
【発明の詳細な説明】
【技術分野】
【０００１】
本発明は、冷却塔に用いられる冷却塔用ファンに関する。
【背景技術】
【０００２】
冷却塔は、管束内に冷却水を流通させ、この管束をファンによる送風で冷却することで冷却水を冷却する。この冷却塔に用いられるファンは、軽量化を目的として羽根がプラスチック製（例えば、強化プラスチック（ＦＲＰ：Fiberglass  Reinforced  Plastics））とされている（例えば、特許文献１参照）。
【先行技術文献】
【特許文献】
【０００３】
【特許文献１】特開２０００−１４５６９８号公報
【発明の概要】
【発明が解決しようとする課題】
【０００４】
ところで、特に、屋外に設置される冷却塔にあっては、ファンにより吸い込まれた異物などが羽根に衝突することで、羽根の表面に傷や陥没などの損傷部が形成される。そして、この損傷部に溜まった水分が凍結すると、損傷部が拡大し羽根の寿命を縮める要因となることが想定される。
【０００５】
本発明は、上記に鑑みてなされたものであって、羽根の耐久性を向上することのできる冷却塔用ファンを提供することにある。
【課題を解決するための手段】
【０００６】
上述の目的を達成するために、第１の発明の冷却塔用ファンは、冷却塔の管束に送風を行う冷却塔用ファンにおいて、羽根の外周面をプラスチックで形成するとともに、前記羽根の外周面である回転の前側縁に保護部材を設けることを特徴とする。
【０００７】
この冷却塔用ファンによれば、保護部材によりファンの回転の前側縁を受け傷から保護することが可能になる。このため、羽根の耐久性を向上することができる。
【０００８】
また、第２の発明の冷却塔用ファンは、第１の発明において、前記羽根の外周面に前記プラスチックと前記保護部材との温度変化を抑制する皮膜を設けることを特徴とする。
【０００９】
この冷却塔用ファンによれば、皮膜によりプラスチックと保護部材との温度変化が抑制されるため、太陽熱などの外熱による双方の温度上昇を抑制し、双方の熱膨張率の違いにより保護部材が羽根から脱落する事態を防ぐことができる。
【発明の効果】
【００１０】
本発明によれば、羽根の耐久性を向上することができる。
【図面の簡単な説明】
【００１１】
【図１】図１は、本発明の実施形態に係る冷却塔用ファンが適用される冷却塔の概略構成図である。
【図２】図２は、本発明の実施形態に係る冷却塔用ファンの斜視図である。
【発明を実施するための形態】
【００１２】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。
【００１３】
図１は、本実施形態に係る冷却塔用ファンが適用される冷却塔の概略構成図である。図１に示すように、冷却塔１は、主に、管束２とファン（冷却塔用ファン）３とを有している。管束２およびファン３は、冷却塔１の架台１１に配置されている。管束２は、フレーム２１に対して、管２２を水平方向に配列するとともに、上下方向に重ねて連通され、管２２の内部に冷却水を流通するように構成されている。各管２２の間は空気が通るように隙間が設けられている。ファン３は、管束２の下方から上方に管２２の隙間に空気を送るものである。ファン３は、図示しないモータなどの駆動部に連結されて回転する回転部３１と、回転部３１から放射方向に延在して設けられた複数（本実施形態では６つ）の羽根３２とを有する。このファン３は、本実施の形態では、２機設けられており、管束２の下側に配置されている。ファン３は、管束２の上側に設けられていてもよい。また、ファン３は、その下側にカバー４が設けられている。カバー４は、線材が格子状または網状に組まれたもので、ファン３の送風により吸い込まれた異物がファン３に衝突することを防止する。なお、冷却塔１は、架台１１の外周がケーシングで覆われていてもよく、この場合ケーシングの下側および上側が開放して形成され、ファン３の送風により下側の開放部分からケーシング内に空気が供給され、上側の開放部分から管束２を通過した空気が排出される。
【００１４】
図２は、本実施形態に係る冷却塔用ファンの斜視図である。ファン（冷却塔用ファン）３は、上述したように、回転部３１と羽根３２とを有する。羽根３２は、回転部３１が図２に矢印Ａで示す方向に回転することで、下方から上方に送風する。羽根３２は、その外周面がプラスチック（例えば、強化プラスチック（ＦＲＰ：Fiberglass  Reinforced  Plastics））で形成されている。羽根３２は、空洞であってもよく、その内部に骨組みやウレタン材などが設けられていてもよい。また、羽根３２は、その外周面であって、回転部３１の回転に伴って回転する前側縁に、基端から先端に沿って保護部材３３が設けられている。保護部材３３は、羽根３２の外周面を形成するプラスチックよりも受け傷に対して強いもので、例えば、金属材がある。この保護部材３３は、羽根３２の外周面を形成するプラスチックの外側に板材として配置されていてもよく、またはプラスチックに換えて羽根３２の外周面の一部を形成するように配置されていてもよい。また、羽根３２は、プラスチックおよび保護部材３３を含むその外周面に、皮膜が設けられている。皮膜は、異種の材料であるプラスチックと保護部材との温度変化を抑制するもので、例えば、熱交換塗料や熱反射塗料（遮熱塗料）で形成される。
【００１５】
このように、本実施形態の冷却塔用ファンは、冷却塔１の管束２に送風を行うファン（冷却塔用ファン）３において、羽根３２の外周面をプラスチックで形成するとともに、羽根３２の外周面である回転の前側縁に保護部材３３を設ける。
【００１６】
この冷却塔用ファンによれば、保護部材３３によりファン３の回転の前側縁を受け傷から保護することが可能になる。このため、羽根３２の耐久性を向上することができる。
【００１７】
また、本実施形態の冷却塔用ファンは、羽根３２の外周面にプラスチックと保護部材３３との温度変化を抑制する皮膜を設ける。
【００１８】
この冷却塔用ファンによれば、皮膜によりプラスチックと保護部材３３との温度変化が抑制されるため、太陽熱などの外熱による双方の温度上昇を抑制し、双方の熱膨張率の違いにより保護部材３３が羽根３２から脱落する事態を防ぐことができる。
【符号の説明】
【００１９】
１  冷却塔
２  管束
３  ファン（冷却塔用ファン）
３２  羽根
３３  保護部材
【図１】
2014181573.tif 000003
【図２】
2014181573.tif 000004